(57)【要約】      （修正有）【課題】収納スペースを有効利用することが可能な飲料用容器を提供する。【解決手段】飲料が収容される収容部２と、収容部に収容されている飲料を注ぐための注ぎ口３ａを有するベース部３と、注ぎ口を閉塞するキャップ部４と、を備え、収容部は、樹脂で形成されているとともに、角柱状の形状である。また、ベース部に取り付けられ、収容部に収容される飲料の漏れを防止するパッキン６と、パッキンに取り付けられ、飲料が注ぎ口から注がれる際に、飲料を濾過するフィルター部５と、を更に備える。冷蔵庫のドリンクホルダ部のみならず、本体側収納部にも収納することができるので、収納スペースを有効利用できる。【選択図】図２
0003215556.tif 000002
【実用新案登録請求の範囲】
【請求項１】
飲料が収容される収容部と、
前記収容部に収容されている前記飲料を注ぐための注ぎ口を有するベース部と、
前記注ぎ口を閉塞することが可能なキャップ部と、
を備え、
前記収容部は、
樹脂で形成されているとともに、角柱状の形状であることを特徴とする飲料用容器。
【請求項２】
前記ベース部に取り付けられ、前記収容部に収容される前記飲料の漏れを防止するパッキンと、
前記パッキンに取り付けられ、前記飲料が前記注ぎ口から注がれる際に、前記飲料を濾過するフィルター部と、
を更に備えたことを特徴とする請求項１に記載の飲料用容器。
【考案の詳細な説明】
【技術分野】
【０００１】
本考案は、飲料を収容する飲料用容器に関するものである。
【背景技術】
【０００２】
従来では、丈夫で握り易い飲料用容器が知られている（例えば、特許文献１）。このような飲料用容器は、略円筒状の形体となっており、四角形の断面を持つ深い環状の溝が設けられている。これにより、使用材料の量をほとんど増加させることなく、丈夫で握り易い飲料用容器を提供することができる。
【先行技術文献】
【特許文献】
【０００３】
【特許文献１】特開平０５−０９７１３６号公報
【考案の概要】
【考案が解決しようとする課題】
【０００４】
しかしながら、このような飲料用容器は、円筒状の形体となっていることから、例えば、冷蔵庫に収納する場合に、縦置きしかできなかった。このため、収納することが可能なスペースに制約があるという問題点があった。
【０００５】
本考案は、このような問題点に鑑み、収納スペースを有効利用することが可能な飲料用容器を提供することを目的とする。
【課題を解決するための手段】
【０００６】
このような課題を解決するために、本考案に係る飲料用容器は、飲料が収容される収容部と、前記収容部に収容されている前記飲料を注ぐための注ぎ口を有するベース部と、前記注ぎ口を閉塞することが可能なキャップ部と、を備え、前記収容部は、樹脂で形成されているとともに、角柱状の形状であることを特徴とする。
【０００７】
また、本考案に係る飲料用容器は、前記ベース部に取り付けられ、前記収容部に収容される前記飲料の漏れを防止するパッキンと、前記パッキンに取り付けられ、前記飲料が前記注ぎ口から注がれる際に、前記飲料を濾過するフィルター部と、を更に備えたことを特徴とする。
【考案の効果】
【０００８】
本考案によれば、収納スペースを有効利用することが可能な飲料用容器を提供することができる。
【図面の簡単な説明】
【０００９】
【図１】飲料用容器の外観斜視図の一例を示す図である。
【図２】飲料用容器の分解斜視図の一例を示す図である。
【図３】飲料用容器の収納方法の一例を示す図である。
【図４】飲料用容器の利用態様の一例を示す図である。
【考案を実施するための形態】
【００１０】
以下、本考案の実施形態について図面を参照しながら具体的に説明する。
【００１１】
まず、図１、及び図２を用いて、本実施形態における飲料用容器１の各部品の説明を行う。なお、図１は、本実施形態における飲料用容器１の外観斜視図を示す図であり、図２は、本実施形態における飲料用容器１の分解斜視図を示す図である。
【００１２】
（飲料用容器１）
第１実施形態における飲料用容器１は、収容部２と、ベース部３と、キャップ部４と、フィルター部５と、パッキン部６により構成されている。
【００１３】
（収容部２）
収容部２は、底面部２ａと、第１平面部２ｂと、第２平面部２ｃと、第３平面部２ｄと、第４平面部２ｅとにより構成されており、上方に開口部２ｆを有している。また、収容部２は、飲料を収容可能な空間を内部に有している。
【００１４】
また、収容部２には、ベース部３に設けられているベース部用環状溝３ｂと螺着するための収容部用環状縁２ｇが設けられている。
【００１５】
ここで、第１実施形態における収容部２は、透明性と耐熱性に優れたＰＣＴ樹脂（ポリシクロヘキシレンジメチレンテレフタレート）により形成されている。これにより、収容部２に対して水だけでなく、お湯を注ぐことができる。
【００１６】
なお、収容部２の材質は、他の樹脂で形成されていてもよい。また、収容部２には、飲料の容量を示すメモリが表示されていてもよい。これにより、飲料用容器１の利用者は、収容部２の内部に収容されている飲料の量を認識することができる。
【００１７】
（ベース部３）
ベース部３は、収容部２に収容されている飲料を注ぐための注ぎ口３ａが設けられている。また、ベース部３には、収容部用環状縁２ｇと螺着するためのベース部用環状溝３ｂと、キャップ部用環状溝４ａと螺着するためのベース部用環状縁３ｃと、パッキン部用環状縁６ａと螺着するためのパッキン取付用環状溝３ｄとが設けられている。
【００１８】
（キャップ部４）
キャップ部４は、ベース部３に設けられている注ぎ口３ａを閉塞可能に設けられている。また、キャップ部４は、ベース部用環状縁３ｃと螺着するためのキャップ部用環状溝４ａと、キャップ用パッキン４ｂが設けられている。
【００１９】
（フィルター部５）
フィルター部５は、収容部２に収容されている飲料を濾過ために設けられている。また、フィルター部５は、パッキン用係止部６ｂと係止するためのフィルター用係止部５ａが設けられている。
【００２０】
（パッキン部６）
パッキン部６は、収容部２に収容されている飲料の漏れや、収容部２の外部から異物の侵入を防ぐために設けられている。また、パッキン部６は、パッキン取付用環状溝３ｄと螺着するためのパッキン部用環状縁６ａと、フィルター用係止部５ａと係止するためのパッキン用係止部６ｂが設けられている。
【００２１】
（飲料用容器の収納方法）
次に、図３を用いて、飲料用容器１の収納方法の説明を行う。なお、図３は、飲料用容器１の収納方法を示す図である。
【００２２】
（冷蔵庫７）
図３に示されている冷蔵庫７は、冷蔵庫７の本体側に設けられている本体側収納部７ａと、冷蔵庫７の扉側に設けられている扉側収納部７ｂと、扉側収納部７ｂに設けられているドリンクホルダ部７ｃにより構成されている。
【００２３】
ここで、図３（Ａ）に示す通り、従来の円柱状飲料用容器８を冷蔵庫７に収納する場合、ドリンクホルダ部７ｃに収納することが可能である。しかしながら、円柱状の飲料用容器１を本体側収納部７ａに収納しようとすると、転がってしまい、収納することができないという問題点が生じる。
【００２４】
一方で、図３（Ｂ）に示す通り、本考案における飲料用容器１は、ドリンクホルダ部７ｃに収納することが可能であるとともに、横置きすることで本体側収納部７ａに収納することも可能である。
【００２５】
ここで、本実施形態における飲料用容器１の収容部２は、四角柱状の形状をしているので、第１平面部２ｂ、第２平面部２ｃ、第３平面部２ｄ、第４平面部２ｅの何れかが本体側収納部７ａの底面に接することとなる。なお、飲料用容器１は、角柱状の形状を有していればよいので、三角柱状の形状をしていてもよいし、五角柱以上の角柱状の形状であってもよい。
【００２６】
（飲料用容器１の利用態様）
次に、図４を用いて、飲料用容器１の利用態様の説明を行う。なお、図４は、飲料用容器１の利用態様を示す図である。
【００２７】
飲料用容器１は、水出し茶等を作る際に利用されることとなる。また、飲料用容器１は、既に作られた飲料を収容する際に利用してもよい。
【００２８】
（水出し茶の作成方法）
まず、図４（Ａ）に示す通り、収容部２の内部に所定量の茶葉を入れる。次に、図４（Ｂ）に示す通り、茶葉の入った収容部２に水を注ぎ、収容部用環状縁２ｇとベース部用環状溝３ｂを螺着することで、収容部２にベース部３を取り付ける。ここで、ベース部３には、フィルター部５が係止されたパッキン部６が螺着されていることとなる。
【００２９】
次に、図４（Ｃ）に示す通り、ベース部用環状縁３ｃとキャップ部用環状溝４ａを螺着することで、ベース部３の注ぎ口３ａをキャップ部４で閉塞して冷蔵庫７に収納する。そして、冷蔵庫７に収納してから、所定時間（例えば、３時間から６時間程度）が経過すれば、水出し茶が完成することとなる。
【００３０】
また、水出し茶が完成した場合には、キャップ部４をベース部３から取り外し、コップ等に注入することとなる。この際に、フィルター部５は、収容部２の内部にある茶葉がコップ等に流出することを防止することとなる。
【００３１】
なお、本実施形態における飲料用容器１は、水出し茶以外にも、フレーバーウォーターを作ることもできる。この場合においては、収容部２の内部に果物等を入れ、果物の入った収容部２に水を注ぎ、収容部２にベース部３を取り付ける。そして、ベース部３の注ぎ口３ａをキャップ部４により閉塞して、冷蔵庫７に収納し、所定時間が経過すれば、フレーバーウォーターが完成することとなる。
【００３２】
このように、本考案によれば、収容部が樹脂で形成されているとともに、四角柱状の形状であることから、冷蔵庫７のドリンクホルダ部７ｃのみならず、本体側収納部７ａにも収納することができるので、収納スペースを有効利用することが可能な飲料用容器を提供することができる。
【００３３】
また、本考案によれば、ベース部３に取り付けられ、収容部２に収容される飲料の漏れを防止するパッキン部６と、パッキン部６に取り付けられ、飲料が注ぎ口から注がれる際に、飲料を濾過するフィルター部５と、を備えたので、飲料を注ぐ際に濾過することができる。
【００３４】
なお、本実施形態において、「収容部２」は、本考案の「収容部」を構成する。
【００３５】
また、本実施形態において、「ベース部３」は、本考案の「ベース部」を構成する。
【００３６】
また、本実施形態において、「キャップ部４」は、本考案の「キャップ部」を構成する。
【００３７】
また、本実施形態において、「パッキン部６」は、本考案の「パッキン部」を構成する。
【００３８】
また、本実施形態において、「フィルター部５」は、本考案の「フィルター部」を構成する。
【００３９】
また、本実施形態において、「注ぎ口３ａ」は、本考案の「注ぎ口」を構成する。
【００４０】
なお、上記実施形態や変形例で示した事項は、あくまで一例に過ぎず、本考案の範囲を逸脱しない範囲で、適宜変更可能である。
【符号の説明】
【００４１】
１        飲料用容器
２        収容部
２ａ      底面部
２ｂ      第１平面部
２ｃ      第２平面部
２ｄ      第３平面部
２ｅ      第４平面部
２ｆ      開口部
２ｇ      収容部用環状縁
３        ベース部
３ａ      注ぎ口
３ｂ      ベース部用環状溝
３ｃ      ベース部用環状縁
３ｄ      パッキン取付用環状溝
４        キャップ部
４ａ      キャップ部用環状溝
４ｂ      キャップ用パッキン
５        フィルター部
５ａ      フィルター用係止部
６        パッキン部
６ａ      パッキン部用環状縁
６ｂ      パッキン用係止部
７        冷蔵庫
７ａ      本体側収納部
７ｂ      扉側収納部
７ｃ      ドリンクホルダ部
８        円柱状飲料用容器
【図１】
0003215556.tif 000003
【図２】
0003215556.tif 000004
【図３】
0003215556.tif 000005
【図４】
0003215556.tif 000006